(57)【特許請求の範囲】
【請求項１】
筒状の胴筒(3)の上端に、該上端の片側から斜め上方に延出し、過半を占める平板状の押圧部(9)と、屈曲自在な第一屈曲部(11)を介して前記押圧部(9)と連設した円弧状の斜面部(10)とから成る凸状の頂板(4)を、屈曲自在な第二屈曲部(12)を介して、下方に反転陥没変形可能に連設した有頂筒状の容器本体(2)と、該容器本体(2)の開放された下端を密封する底蓋(8)とから構成され、前記斜面部(10)に、閉ループ状の肉薄な破断溝(6)により区画形成され、破断除去により注出口を開設する抜栓部(7)を設け、該抜栓部(7)の上面の上端に破断操作用の操作片(5)を突設し、該操作片(5)の突出高さを、前記頂板(4)の陥没変形状態で、前記操作片(5)の上端が胴筒(3)の上端縁よりも下位となる値に設定した合成樹脂製密封容器。
【請求項２】
破断溝(6)の下端を、第二屈曲部(12)に一致させた請求項１記載の合成樹脂製密封容器。
【請求項３】
破断溝(6)の上端を、第一屈曲部(11)に一致させた請求項１または２記載の合成樹脂製密封容器。
【発明の詳細な説明】
【０００１】
【発明の属する技術分野】
本発明は、内容液を使用尽くした後に使い捨てされる安価で簡易な合成樹脂製密封容器に関するものである。
【０００２】
【従来の技術】
シャンプー、液体石けん等を収納する容器は、ポンプ装置に代表される高価な注出機能を具備することが多く、内容液を使用尽くした後に、容器を廃棄することは極めて不経済であるため、詰め替え用の内容液を安価で簡易な使い捨て容器に収納して、販売することが良く行われている。
【０００３】
また、コーヒー等の飲料物を収納する容器は、一回分の飲用量の内容液を収納し、飲用後に廃棄されるのが一般的であり、このような使用態様に適した安価で簡易な使い捨て容器が種々提案されている。
【０００４】
これらの使い捨て容器は、安価にかつ簡単に成形することができる他に、内容液を強固に密封収納すること、商品として陳列が可能であること、内容液の注出操作が安定して達成できること等の要望を満たす必要がある。
【０００５】
この要望を満たす使い捨て容器の代表例の一つとして、図３に示す合成樹脂製密封容器がある。この容器５１は、下端を底板５５で閉鎖した有底筒形状の胴筒５２の上端に、反転突出変形可能に頂板５３を陥没連設し、この頂板５３の中央に、頂板５３中央部の陥没深さよりも小さい突出高さで、上端を閉鎖した注出筒５４を立設した構成となっており、全体を肉薄に成形している。
【０００６】
この従来技術は、注出筒５４が閉鎖されているので、内容液の密封収納機能が高く、また頂板５３が胴筒５２内に陥没しているので、容器同士の段重ねが可能で、効率的に陳列することができ、また全体構造が単純でシート素材からの成形も可能であるので、容器全体を安価に製造することができ、更に内容液注出の際、頂板５３を反転変形させ、突出した注出筒５４から内容液を注出するので、内容液の注出を安定的に達成できるという利点を有する。
【０００７】
【発明が解決しようとする課題】
しかしながら、上記した従来技術にあっては、容器５１の開封手段が注出筒５４の先端部をハサミ等の道具を使用して切除するものであるので、消費者はハサミ等を別に用意して、これを取り扱わなければならず、その分、不便である、と云う問題があった。
【０００８】
また、内容液の安定的な注出は、注出筒５４を注出先容器の開口部間近に臨ませることにより達成されるが、頂板５３の中央に位置する、限られた突出高さの注出筒５４を開口部間近に臨ませるには、容器５１を開口部に対して相当に傾いた姿勢にしなければならず、内容液の残量が多い間は、容器５１を内容液がこぼれない限度までしか傾けられないので、これを補うために注出先容器も適宜に傾ける操作をしなければならず、その取扱いが面倒である、と云う問題があった。
【０００９】
そこで、本発明は上記した問題を解決するために創案されたもので、安価にかつ簡単に成形でき、内容液を強固に密封収納することができ、効率的な陳列が可能な合成樹脂製密封容器において、開封が簡単であると共に、簡単で安定した内容液の注出動作が得られるようにすることを技術的課題とし、もって取扱いが極めて簡単で、使用し易い容器を提供することを目的とする。
【００１０】
【課題を解決するための手段】
上記課題を解決する本発明の内、請求項１記載の発明の手段は、
筒状の胴筒の上端に、この上端の片側から斜め上方に延出し、過半を占める平板状の押圧部と、屈曲自在な第一屈曲部を介して押圧部と連設した円弧状の斜面部とから成る凸状の頂板を、屈曲自在な第二屈曲部を介して、下方に反転陥没変形可能に連設した有頂筒状の容器本体と、この容器本体の開放された下端を密封する底蓋とから構成すること、
斜面部に、閉ループ状の肉薄な破断溝により区画形成され、破断除去により注出口を開設する抜栓部を設け、抜栓部の上面の上端に破断操作用の操作片を突設すること、
この操作片の突出高さを、頂板の陥没変形状態で、操作片の上端が、胴筒の上端縁よりも下位となる値に設定したこと、
にある。
【００１１】
本発明の合成樹脂製密封容器は、注出口を閉鎖する蓋となる抜栓部を一体に形成した容器本体と、容器本体の下端を密封する底蓋とから成る単純な構造を採用するため、容器全体を安価にかつ簡単に成形することができる。
【００１２】
また、抜栓部は、破断溝により区画形成されたものであり、容器本体と完全に一体に形成され、底蓋は容器本体の開放された下端を密封しているので、内容液の安定した密封収納保持を得ることができる。
【００１３】
本発明の合成樹脂製密封容器は、頂板が胴筒の上端縁から突出している形態で成形され、内容液の密封収納前に、頂板を胴筒内に反転陥没変形させる操作を行なう。この操作は、頂板の一部である押圧部を押し下げることにより達成される。この押圧部は、頂板の過半を占める大きさとしているので、押し下げ操作がし易いと共に、強い押圧力を容易に加えることができる。
【００１４】
頂板の反転陥没変形は、押圧部と斜面部とが、屈曲自在な第一屈曲部を介して連設され、頂板全体と胴筒とが、屈曲自在な第二屈曲部を介して連設されているので、押圧部を押し下げていくと、凸状の頂板は第一屈曲部と第二屈曲部に沿って反転屈曲しながら、突出形状と逆さまの凹状に陥没変形する。
【００１５】
この頂板の陥没変形は、凸状態からの反転変形であるので、頂板は、この陥没変形姿勢を自己保持し、押圧力を解除しても、凸状態に復帰することはない。
【００１６】
本発明の合成樹脂製密封容器は、商品の流通時、あるいは店頭での陳列時は、頂板を陥没変形させた状態で取り扱う。この状態において、頂板から突出している操作片が胴筒の上端縁より低く位置しているので、容器同士を安定に段重ねすることが可能となり、商品梱包時においては収納スペースを小さくし、店頭での陳列時においては陳列スペースを小さくすると共に、積み重ねて陳列することにより陳列効果を上げることが可能となる。
【００１７】
そして、内容液の使用に際しては、抜栓部の破断除去操作を容易にするために、頂板を胴筒の上端縁から突出した状態に復帰させる。この状態は、指先で操作片を上方に引っ張る等の操作により達成することができ、引き続き、操作片を斜面部に沿って胴筒側に引っ張ると、肉薄の破断溝が破断されて抜栓部が除去され、注出口を容易に開設することができる。
【００１８】
抜栓部の破断除去により開設された注出口は、頂板の周縁側に偏った部分を占める斜面部に設けられているので、注出先容器を傾ける操作をすることなく、注出口を注出先容器の開口部間近に臨ませて、内容液の安定した注出を簡単に達成することができる。また、飲料物の容器として使用する場合も、注出口が頂板の周縁近くに位置しているので、直接口を付けて手軽に飲用に供することができる。
【００１９】
更に、本発明の合成樹脂製密封容器は、抜栓部を破断除去することにより開封されるので、開封されたか否かを一目で判断することができる。したがって、店頭での陳列時に不正開封されるのを効果的に防止することができ、また、消費者にとっては、不正開封されたか否かを極めて容易に判断することができる。
【００２０】
請求項２記載の発明の手段は、請求項１記載の発明の構成に、破断溝の下端を、第二屈曲部に一致させたこと、を加えたものである。
【００２１】
この請求項２記載の発明においては、注出口が胴筒の上端に直接臨んでいるので、容器を９０度強傾けることにより内溶液を容器内に残すことなく注出し尽くすことができる。
【００２２】
請求項３記載の発明の手段は、請求項１または２記載の発明の構成に、破断溝の上部を第一屈曲部に一致させたこと、を加えたものである。
【００２３】
この請求項３記載の発明においては、抜栓部を破断除去するために、操作片に引っ張り力を作用させると、この引っ張り力は、斜面部を撓ませることなく、押圧部により受け止められるので、第一屈曲部と一致した破断溝部分に集中して作用することになり、これにより抜栓部の破断除去作業が容易となる。
【００２４】
また、頂板の凸状への反転復帰に際して、破断溝により区画された抜栓部の上端に突設した操作片を上方に引っ張ると、この引っ張り力は頂板の屈曲箇所である第一屈曲線に直接作用して、頂板を効率良く反転復帰させることができる。
【００２５】
【発明の実施の形態】
以下に本発明の実施形態を、図面を参照しながら説明する。
図１は、頂板４を突出させた状態における合成樹脂製密封容器１（以下、容器１と示す）の分解斜視図であり、図２は、図１中のａ―ａ線に沿った容器本体２上部の縦断面図であり、（１）は頂板４を胴筒３の上方に突出させた状態を、（２）は頂板４を胴筒３内に陥没変形させた状態を示している。
【００２６】
図１に示す通り、容器１は円筒状の胴筒３の上端に、円錐筒の上部を、この円錐筒の下端周縁の一点を通る傾斜した平面に沿って切断除去し、この切断面を平板で塞いだ形状の頂板４を、肉薄で屈曲自在な第二屈曲部１２を介して連設した容器本体２と、円板状の底蓋８との二つの部材から構成されている。
【００２７】
頂板４は、平板部分を押圧部９とし、また円錐壁部分を斜面部１０とし、押圧部９と斜面部１０とは、両者の接続線である円形状の稜線を、肉薄で屈曲自在な第一屈曲部１１を介して連結されている。
【００２８】
押圧部９は、胴筒３の上端と接点１５で接し、図２（１）に明示するように、接点１５において、第一屈曲部１１と第二屈曲部１２とが一致し、押圧部９の接点１５とは反対側の端縁である頂板４の頂部１３は、図２（１）において、左側に大きく偏って位置している。
【００２９】
頂部１３の偏り側、すなわち頂部１３に関して接点１５とは反対側に位置する斜面部１０部分には、上端を第一屈曲部１１に一致させ、下端を第二屈曲部１２に一致させた、閉ループ状の肉薄な破断溝６が形成されており、この破断溝６により、破断除去されることにより注出口を開設する抜栓部７を区画形成しており、この抜栓部７には、上面の上端に破断操作用の操作片５が突設されている。
【００３０】
この操作片５は、図２（２）に示す通り、頂板４を胴筒３内に陥没変形させた状態において、その上端が胴筒３の上端縁よりも下方に位置する高さに設定されている。
【００３１】
容器本体２の下端には、図１に示す通り、底蓋８を容器本体２に固定する部分となる外鍔状のフランジ１４が一体に付形されている。
【００３２】
容器本体２は、ポリプロピレン、ポリエチレン等の、加工性に優れた合成樹脂を射出成形することにより得ることができる。
【００３３】
底蓋８は、フランジ１４の外径と等しい径寸法に切断したシートフィルムにより形成されている。
【００３４】
底蓋８の容器本体２への取り付けは、頂板４が陥没変形した逆立姿勢の容器本体２内に定量の内容液を注入充填した後、フランジ１４に溶着等の手段で密に固定することにより達成される。
【００３５】
なお、底蓋８は、シートフィルムによる以外に、肉薄の合成樹脂製シートを有底短円筒状にサーモフォーム成形したものでも良い。この場合、容器本体２にフランジ１４を設けず、胴筒３の下端に底蓋８の筒壁を溶着等の手段で密に固定する。
【００３６】
【発明の効果】
本発明は、上記のように構成したので、以下に示す効果を奏する。
請求項１記載の発明にあっては、特別な道具を使用することなく、操作片を指先で引っ張るだけの簡単な操作により注出口を開設することができるので、容器の開封取扱いがきわめて容易となる。
【００３７】
また、注出口が頂板の周縁近くに位置しているので、内容液を他の容器に注出する場合は、注出先容器を傾ける操作をすることなく、注出先容器の開口部間近に注出口を臨ませて、内容液の安定した注出を簡単に達成することができ、飲料物の容器として使用する場合は、直接口を付けて手軽に飲用に供することができる。
【００３８】
更に、破断溝を破断して抜栓部を除去することにより開封されるので、開封の事実を発見することが極めて容易であり、不正開封を効果的に防止することができる。
【００３９】
請求項２記載の発明にあっては、注出口が胴筒の上端に直接臨んでいるので、容器を９０度強傾けることにより内容液を容器内に残すことなく注出し尽くすことができる。
【００４０】
請求項３記載の発明にあっては、抜栓部の破断除去を安定して良好に達成できるので、開封操作がきわめて容易であり、また頂板を突出形状に復帰させる引っ張り力が、頂板の屈曲箇所である第一屈曲線に直接作用するので、頂板を効率良く、正確に突出形状に復帰させることができる。
【図面の簡単な説明】
【図１】本発明の一実施形態を示す、全体分解斜視図。
【図２】図１中、ａ―ａ線に沿った要部縦断面図で、（１）は頂板を突出させた状態図、（２）は頂板を陥没変形させた状態図。
【図３】合成樹脂製密封容器の従来技術を示す、右半分縦断正面図。
【符号の説明】
１    ；  合成樹脂製密封容器
２    ；  容器本体
３    ；  胴筒
４    ；  頂板
５    ；  操作片
６    ；  破断溝
７    ；  抜栓部
８    ；  底蓋
９    ；  押圧部
１０  ；  斜面部
１１  ；  第一屈曲部
１２  ；  第二屈曲部
１３  ；  頂部
１４  ；  フランジ
１５  ；  接点
５１  ；  容器
５２  ；  胴筒
５３  ；  頂板
５４  ；  注出筒
５５  ；  底板
【図１】
0004022057.tif 000002
【図２】
0004022057.tif 000003
【図３】
0004022057.tif 000004